(57)【要約】【課題】  遊技操作手段を要する機種の部材を不要機種で共用する際に操作不能状態として構成できるとともに、誤操作等の回避性を向上させた遊技機の操作スイッチを提供する。【解決手段】  透明板３１の前面に設けられるタッチ操作部７１と、タッチ操作部７１のタッチ操作に応じて遊技制御を行うタッチ遊技手段６１ａを備えて構成可能な遊技制御装置６０とを有し、遊技制御装置６０がタッチ遊技手段６１ａを備えて構成されるときに、扉部材３を閉止姿勢としたときにタッチ操作部７１がタッチ操作されたか否かを検出し、タッチ操作検出時にタッチ検出信号を遊技制御装置６０に送信可能なタッチ検出手段７３と、扉部材３を閉止姿勢としたときにタッチ操作部７１の背面と近接する位置に配設され、タッチ操作部７１が存することを示唆する表示手段８１とを設けた遊技盤１０を取り付け、遊技制御装置６０がタッチ遊技手段６１ａを備えずに構成されるときに、タッチ検出手段７３および表示手段８１を設けずに構成した第２の遊技盤２０を取り付けて構成する。【選択図】  図７
2006110134.tif 000002
【特許請求の範囲】
【請求項１】
矩形枠状の前枠と、
前記前枠に取り付けられる遊技盤と、
透明板を有してなり、前記前枠の前面に開閉自在に取り付けられて常には前記遊技盤の前面を覆う閉止姿勢とされて前記遊技盤と対向し、前面から前記透明板を介して前記遊技盤を透視可能とする扉部材とを有して構成される遊技機において、
前記透明板の前面に設けられるタッチ操作部と、
前記タッチ操作部のタッチ操作に応じて遊技制御を行うタッチ遊技手段を備えて構成可能な遊技制御装置とを有し、
前記遊技制御装置が前記タッチ遊技手段を備えて構成されるときに、前記タッチ操作部がタッチ操作されたか否かを検出して該タッチ操作検出時にタッチ検出信号を前記遊技制御装置に送信可能なタッチ検出手段と、前記扉部材を閉止姿勢としたときに前記タッチ操作部の背面と近接する位置に配置され、前記タッチ操作部が近接して存することを示唆させる表示手段とを設けて構成される前記遊技盤が取り付けられて構成されることを特徴とする遊技機の操作スイッチ。
【請求項２】
前記遊技制御装置が前記タッチ遊技手段を備えずに構成されるときに、前記タッチ検出手段および前記表示手段を設けずに構成された第２の前記遊技盤が取り付けられて構成されることを特徴とする請求項１に記載の遊技機の操作スイッチ。
【発明の詳細な説明】
【技術分野】
【０００１】
本発明は、遊技領域が形成される遊技盤、この遊技盤の前面を覆って設けられる扉部材等からなる遊技機の操作スイッチに関する。
【背景技術】
【０００２】
上記のような遊技機に、例えばパチンコ機がある。パチンコ機は、前面に略円形の遊技領域が区画形成された遊技盤を前枠に立設姿勢で収容保持し、ガラス、アクリル等の透明板を有する扉部材を前枠の前面側に開閉自在に取り付けて遊技領域を前面側から透視できるように構成されており、扉部材の直下に位置する球皿内に貯留された遊技球を遊技球発射装置により遊技領域内に打ち出して行う遊技に供される。遊技球が貯留される球皿はその用途から遊技者にとって手の届き易い位置に配設されており、遊技球発射装置を作動操作する発射ハンドルが球皿の正面視右部に前方へ突出して設けられているのをはじめとして各種の操作スイッチがこのような球皿周辺に集約的に配設されている（例えば、特許文献１）。
【０００３】
これら操作スイッチの中には、カードユニットから遊技球を借り入れるための球貸操作スイッチ、カードユニットから遊技カードを排出させるための返却操作スイッチ、特別遊技中に実行されるサブゲーム等の入力操作を行うためのサブ入力操作スイッチなどがある。このような操作スイッチは、ボタンスイッチ、あるいは遊技者の手の接触等を検出するタッチスイッチ等により構成される。
【０００４】
なお、機種によっては、このような操作スイッチおよび該操作スイッチで作動する装置、機器を要するものと不要とするものがあるが、例えばカードユニットを要する機種（いわゆる「ＣＲ機」）においてボタンスイッチから構成される球貸操作スイッチを取り付けて構成した球皿を、カードユニットを不要とする機種（いわゆる「現金機」）の球皿として供するにあたっては、遊技者の誤解を防止するといった観点からいっても、操作に応じて他の何らかの装置が作動しないように構成されることは当然のこと、球貸操作スイッチのボタン操作部を押圧しても押圧方向に対して不動とされるような状態（以下、「操作不能状態」とも称する）となることが好ましいとされる。
【０００５】
また、遊技盤は、所定図柄が印刷されたセルを貼り付けて形成される化粧板の前面に略円形状の遊技領域を区画形成し、遊技領域内に遊技釘、入賞具等の遊技構成部品を所定のゲージ設定条件下で取り付けて構成される。ここで、セルに印刷される図柄は機種ごとに付与される遊技テーマに即した特徴あるデザインが創作されており、遊技構成部品においても機種により特徴ある形状とされることがある。また、遊技中に行われる演出制御等を行う基板等により構成されて遊技中の演出制御等を行う遊技制御装置が設けられているが、演出処理内容は、機種により大きく異なるものとされる。従って、新型機の製作にあたっては、製作コストの低減、リサイクル性の観点から、扉部材、球皿、遊技球の経路を備えた機構盤、あるいはこれらが取り付けられる枠部材等は共通機構、共通部材として新旧の機種で共用可能とされる一方で、上記特性を有する遊技盤の入替作業（以下、「盤面替え」とも称する）および遊技制御装置を構成する基板の取替作業は必須のものとされている。
【特許文献１】特開２００４−２０８９５９号公報
【発明の開示】
【発明が解決しようとする課題】
【０００６】
パチンコ機を製作する上では、上記特性を有する遊技盤および遊技制御装置は除いて他の機構、構成部材は機種によらず共用可能であることが製作コスト上好ましいとされる。ここで、遊技操作手段を要する機種と不要とする機種との間においてパチンコ機を構成する各機構、構成部材の共用化を図る場合には、上記のように不要機種において操作スイッチが操作不能状態となるように構成されることが求められる。
【０００７】
しかしながら、従来のパチンコ機に備えられる操作スイッチのように、例えば静電容量方式のタッチセンサを球皿外部に突出するように配設して操作スイッチを構成すると、該操作スイッチを要する機種と不要機種とで球皿を共通化することができず、製作コストが上昇するという問題がある。
【０００８】
また、タッチセンサ式形態による遊技操作手段を遊技領域内に設ける構成とすると、遊技盤以外の部材の共通化を図ることはできるが、扉部材の背面側にセンサが配設されることとなる。このため、遊技者の操作を非接触状態で検出しなければならず、遊技者の操作意図のない不意な動作が誤検出されるおそれがあるといった問題がある。なお、遊技領域内にセンサを配設する構成であると、遊技球の落下により生じる衝撃を回避するために、センサ配設位置周辺を遊技球の落下不能領域として区画することが好ましい。ところが、このように区画すると、遊技球を落下可能とする遊技領域が円の一部を切り欠いた非対称形状となって遊技釘のゲージ設定が困難となり、安定したゲーム展開の提供に支障を来すおそれがあるという問題も生じる。
【０００９】
上記問題に鑑み、本発明は、操作スイッチを要する機種の部材を不要機種と共用する際に、不要機種においては操作不能状態として構成できるとともに、誤操作及び誤検出が生じる可能性を低下させることができる遊技機の操作スイッチを提供することを目的とする。
【課題を解決するための手段】
【００１０】
上記目的達成のため、本発明に係る遊技機の操作スイッチは、矩形枠状の前枠と、この前枠に取り付けられる遊技盤と、透明板を有してなり、前枠の前面に開閉自在に取り付けられて常には遊技盤の前面を覆う閉止姿勢とされて遊技盤と対向し、前面から透明板を介して遊技盤を透視可能とする扉部材とを有して構成される遊技機において、透明板の前面に設けられるタッチ操作部と、タッチ操作部のタッチ操作に応じて遊技制御を行うタッチ遊技手段（例えば、実施形態におけるサブゲーム実行処理プログラム６１ａ）を備えて構成可能な遊技制御装置とを有し、遊技制御装置がタッチ遊技手段を備えて構成されるときに、タッチ操作部がタッチ操作されたか否かを検出して該タッチ操作検出時にタッチ検出信号を遊技制御装置に送信可能なタッチ検出手段（例えば、実施形態におけるタッチ検出基板７３）と、扉部材を閉止姿勢としたときにタッチ操作部の背面と近接する位置に配置され、タッチ操作部が存することを示唆させる表示手段（例えば、実施形態における表示シール８１）とを設けた遊技盤を取り付けて構成している。
【００１１】
また、遊技制御装置がタッチ遊技手段を備えずに構成されるときには、上記遊技盤に代えてタッチ検出手段および表示手段を設けずに構成した第２の遊技盤を取り付けて構成することが好ましい。
【発明の効果】
【００１２】
このような本発明に係る遊技機の操作スイッチは、扉部材における透明板の前面側にタッチ操作部を配設しており、遊技盤の遊技領域内にセンサを配設することが回避されている。このため、遊技ゲージ設定を困難とすることなく遊技盤を構成することができ、従来通り遊技者に安定したゲーム展開を提供することができる。また、タッチ操作部は、扉部材を閉止姿勢としたときにタッチ操作部の背面側に位置してタッチ操作部が存することを示唆表示した表示手段が設けられている。このため、扉部材の透明板を介してその表示内容を透視可能であるから、タッチ操作部の位置を遊技者に確実に把握させることができる。さらに、タッチ操作部が扉部材側に設けられることから、従来球皿に集約的に配設されていた遊技機の操作スイッチの操作部形成部材および配線を球皿機構体から省略でき、球皿機構体およびその周辺の設計レイアウトの自由度を高めることができる。
【００１３】
また、遊技制御装置が、例えば処理プログラムの省略等によってタッチ遊技手段を備えずに構成され、タッチ操作部が操作不能状態であることが好ましいとされる機種においては、上記タッチ検出部および表示手段を設けずに構成した第２の遊技盤を取り付けて構成するようにしている。このような第２の遊技盤には上記タッチ検出部が設けられていないことからタッチ操作部が作動不能となり、表示手段が設けられていないことから遊技者に操作部があるかのような誤解を招くことのない遊技機を構成することができ、タッチ操作部を操作不能状態とすることができる。そして、機種変更において必須とされる遊技盤および遊技制御基板の変更のみにより不要な操作部を操作不能状態とすることができ、遊技機を構成するその他の機構および部材は共通機構、共通部材とすることができる。
【発明を実施するための最良の形態】
【００１４】
以下、本発明の好ましい実施形態について添付図面を参照しながら説明する。本発明に係る遊技機として、図１に正面図、図２にガラス扉を開放して示す正面図、図３に背面図をそれぞれ示すパチンコ機を例にとり、まずこれらの図面を参照してパチンコ機ＰＭの概要構成について説明する。
【００１５】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側に配設されたヒンジ機構７で横開き開閉および着脱可能に取り付けられ、正面右側に設けられた施錠装置８を利用して常には外枠１と係合された閉鎖状態に保持される。
【００１６】
前枠２の前面上部には、前枠２の前面域に合わせた方形状のガラス扉３が正面左側に設けられたヒンジ機構７で横開き開閉および着脱が可能に取り付けられ、正面右側に設けられた施錠装置８を利用して前枠２の前面を覆う閉鎖状態に保持される。このガラス扉３は、ＡＢＳ樹脂等の樹脂材料を射出成型等の成型手段によって成型した樹脂基枠３２と樹脂基枠３２内方を背面側で埋めるようにガラス板３１が取り付けられて構成される。なお、ガラス扉３は閉鎖状態で背面方向を透視可能であれば、また、後述するタッチ操作部を形成可能な材質であればよく、ガラス板に替えてアクリル板等の透明樹脂板材を用いて構成してもよい。
【００１７】
前枠２の上部には、ガラス扉３の背後に位置して遊技盤を立設姿勢で収容する収容枠２ａが一体に成型されており、この収容枠２ａに設けられたクランプレバー２ｂを利用して遊技盤が前面側から着脱可能に収容保持され、常には閉鎖保持されるガラス扉３のガラス板３１を介して前面に区画形成される遊技領域ＰＡを臨ませている。このように前枠２はクランプレバー２ｂにより遊技盤１０の着脱交換が可能に構成されている。なお、本実施例では、前面側から遊技盤を着脱する構成形態としているが、前枠２に対して後方側から着脱可能とする構成形態としても本発明を実施することが可能である。
【００１８】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４ａ，１４ｂが形成される。遊技領域ＰＡの内側には多数本の遊技釘および風車１５、センタ飾り１６、各種の入賞口１７ａ，１７ｂ等の遊技構成部品が所定のゲージ設定条件下で取り付けられており、下端部においては遊技領域ＰＡを転動落下した遊技球を回収するアウト口１８設けられる。また、センタ飾り１６の内側には液晶パネル等から構成される図柄表示装置１９が前面に表示部を臨ませて設けられている。
【００１９】
前枠２の前面下部には、球皿４が前方に横開き開閉および着脱可能に取り付けられ、正面右側に設けられた球皿施錠装置（図示せず）を利用して常には前枠２の前面を覆う閉鎖状態に保持される。球皿底部には傾斜のついた整列流路（図示せず）が形成され、球皿背面にはこの整列流路下流端と整合する位置に遊技球発射装置が配設されており、球皿４内に貯留される遊技球は整列流路の傾斜を伝って遊技球発射装置へと整列流下するように構成されている。
【００２０】
球皿４の右下部には遊技球発射装置の作動操作を行うための発射ハンドル６が前面に突出して設けられている。また、球皿４の前面略中央部には球皿４に貯留された遊技球を下方に抜き落とすための球抜き操作部４１が配設されるとともに、左上部にはカードユニットＣＵから遊技球を借り入れるための球貸操作部４２、カード挿入口９１に挿入した遊技カードをカードユニットＣＵから排出させるための返却操作部４３が配設されている。さらに、例えば特別遊技状態中に実行されるサブゲームにおける操作入力を行うためのサブ入力操作部４４、図柄変動時間を短縮させるための図柄変動短縮操作部４５がその周辺に設けられている。このように本実施形態のパチンコ機ＰＭは、遊技者が右手で発射ハンドル６を操作することによって遊技を行い、遊技を継続して行いながらフリーとなる左手による各操作部４１〜４５の操作を可能に構成されている。
【００２１】
前枠２の裏側（後面側）には、裏セット盤５０がヒンジ機構７を利用して前枠２の後方に横開き開閉および着脱可能とされ、係止具５０ａによって前枠背面に係止状態とされて取り付けられている。裏セット盤５０には、払出用の遊技球（賞球および貸球）を貯留する球貯留タンク５１、球貯留タンク５１に貯留された遊技球を整列させて流下させるタンクレール５２、タンクレール５２からの遊技球を垂直方向へ球詰まりすることなく流下案内するＳ字レール５３、状況に応じて賞球あるいは貸球を払い出す球払出装置５４、球払出装置５４の直下に設けられて球皿４に賞球あるいは貸球を導く球払出通路５５などが設けられている。また、裏セット盤５０の背面には、遊技を制御する遊技制御装置６０、および電子部品に電力を供給する電源ユニット６５が配設されている。遊技制御装置６０は、パチンコ機ＰＭの作動を統括的に制御する主制御装置６１、図柄表示装置１９の表示図柄等を制御するサブ制御装置６２、賞球および貸球の払出作動を制御する球払出制御装置６３、ホールコンピュータ（図示せず）と信号の入出力を行う外部中継端子基板６４等から構成される。
【００２２】
また、パチンコ機ＰＭの正面左側にはカードユニットＣＵが取り付けられている。このカードユニットＣＵの正面中段には、遊技カードを挿入するためのカード挿入口９１が設けられている。また、カードユニットの背面上段には遊技機接続コネクタ９２が設けられており、球払出制御装置６３に設けられたコネクタ６３ａとフラットケーブルＦＣを介して接続される。同様に、遊技制御装置６０、電気ユニット６５、カードユニットＣＵ、ホールコンピュータ等がケーブル（図示せず）で接続されてパチンコ機ＰＭが作動可能とされる。
【００２３】
このようなパチンコ機ＰＭにおける遊技操作について図４に示すブロック図を参照して説明する。まず、遊技カードをカードユニットＣＵのカード挿入口９１に挿入し、球貸操作部４２を操作すると、遊技制御装置６０に備えられて球貸操作部４２からの操作信号を監視してカードユニットＣＵに所定数量の遊技球の借り入れ作動を行わせるプログラム（タッチ遊技手段）が実行処理され、このようにして借り入れた遊技球を球皿４内に貯留させて遊技が開始される。球皿内の遊技球は、整列流路上で待機状態とされ、発射ハンドル６が回転操作されて遊技球発射装置が作動すると遊技球発射装置のハンマにより１球ずつ叩打され、案内レール面１４ａ，１４ｂによる案内を受けて遊技領域ＰＡ内へと導かれるようになっている。
【００２４】
遊技領域ＰＡ内を転動落下する遊技球は最終的に入賞口１７ａ，１７ｂもしくはアウト口１８に入球して遊技盤背面側に回収されるが、入賞口１７ａ，１７ｂに入球すると球払出装置５４により所定数量の賞球が球皿４に払い出されるように構成されている。なお、始動入賞口１７ａに入球した場合には、賞球の払出とともに図柄表示装置１９に表示される図柄の変動が開始され、所定時間の変動後に停止図柄が表示されるように構成されている。このとき、停止図柄が所定の当たり図柄の場合には通常遊技状態から特別遊技状態へと遊技状態が移行する。特別遊技状態においては、大入賞口１７ｂが開放されて遊技球がこれに入球容易となり、遊技者に大量の賞球を得る機会が与えられる。図柄変動中に図柄変動短縮操作部４５を操作すると、変動時間を短縮して停止図柄が表示され、遊技者が当たり抽選の結果を即座に確認できるようになっており、このように図柄変動短縮操作部４５からの操作信号を監視して上記処理を実行するプログラム（タッチ遊技手段）が遊技制御装置６０に具備されている。
【００２５】
ここで、サブ入力操作部４４による入力操作を受けて行われるサブゲームには、例えば、特別遊技状態での遊技が所定のラウンド数であって大入賞口１７ｂの特定領域を遊技球が通過したときに該ラウンド終了後に実行されるようになっており、図柄表示装置１９にスロットマシンのリールのようなものが表示され、リールの如く図柄変動している状態でサブ入力操作ボタンをタイミングよく操作して所定図柄を所定位置に停止させることができればゲームクリアとするもの等があり、クリア後において遊技演出効果をより高度に行うとするもの等がある。このサブ入力操作部４４からの操作信号を監視してサブゲームを実行処理するためのサブゲーム実行処理プログラム（タッチ遊技手段）６１ａが遊技制御装置６０に具備されている。
【００２６】
そして、返却操作部４３を操作することにより、遊技制御装置６０に備えられて返却操作部からの操作信号を監視してカードユニットＣＵにカード挿入口９１から遊技カードの排出作動を行わせるプログラム（タッチ遊技手段）が実行処理されて遊技カードが遊技者に返却されるようになっているとともに、球抜き操作部４１，４１を押圧操作することにより球皿４に貯留されている遊技球を下方に落下させるようになっている。このような操作を行って遊技が終了される。
【００２７】
ここで、以下、本発明の第１の構成形態について説明することとし、まず、図５に示す背面図を参照してガラス扉３について説明する。ガラス扉３は、外形矩形状とされて前枠２にヒンジ機構を介して開閉自在に取り付けられる枠状の樹脂基枠３２と、樹脂基枠３２の背面右側縁部に設けられたヒンジ部３３，３３を介して結合されて樹脂基枠３２に対して横開き開閉可能に取り付けられるガラス板３１とから構成され、樹脂基枠３２に対して揺動可能に取り付けられる係止レバー３４，３４により、常にはガラス板３１が樹脂基枠３２の背面に設けたガラス収容部３１ａに収容された閉止状態で保持されている。また、ガラス扉３の正面側において、樹脂基枠３２の左下部には円形状の貫通孔３２ａが設けられており、係止レバー３４，３４の作用によりガラス板３１と樹脂基枠３２とを係止させた状態において、貫通孔３２ａを介して背面側に位置するガラス板３１が前面に露出するようになっている。
【００２８】
以下、図６〜８を併せて参照して本実施例のサブ入力操作部４４について説明する。なお、図６はサブ入力操作部４４に適用されるタッチスイッチの構成ブロック図、図７は主としてタッチスイッチを示すパチンコ機ＰＭの側断面図、図８は本発明に係る表示手段の一例を示す図である。本実施例におけるサブ入力操作部４４は、ガラス扉３の前面側に設けられた導電性のタッチ操作部７１と、遊技盤１０に設けられて入力電極の静電容量の変化を検出するタッチ検出基板７３とからなるタッチスイッチ７０で構成される。
【００２９】
タッチ操作部７１は、ガラス板３１の表面側における正面視左下部であって、ガラス板３１を係止レバー３４，３４で係止した状態において樹脂基枠３２の背面側に位置して円形状に設けられており、ガラス板３１の表面をスパッタリング等のメッキ加工により形成される導電性の膜状に設けられている。タッチ操作部７１はこのようなメッキ加工を施して設けられるが、ハーフミラー状に設けられており、前面側からタッチ操作部７１を介して背面方向が透視可能となっている。
【００３０】
また、このようなタッチ操作部７１から、タッチ操作部７１と同様にスパッタリング等のメッキ加工等により成型される電極引出部７２が紐状に延びて一体に形成されている。この電極引出部７２は、タッチ操作部７１からガラス板３２の背面側における正面視左縁部まで延びて形成されており、例えば、タッチ操作部７１の設けられる位置からガラス板３１の表面側においてガラス左辺縁まで延ばし、この辺縁から背面側に折り返すようにして成型してもよいし、ガラス板３１において、ガラス板３１を係止レバー３４，３４で係止したときに樹脂基枠３２の背面側に位置する部位に貫通孔を設け、この貫通孔から電極引出部７２をガラス板３２の背面側に延ばすように構成してもよく、電極引出部７２の先端がガラス板３１の背面側に位置する構成であればどのような態様でもよい。
【００３１】
さて、遊技盤１０においては、図７に示すように遊技盤１０の左下部においてベニヤの前面と下レール飾り１３の背面との間に形成される空間（以下、背面側空間とも称する）１３ａ内に、接続される電極の静電容量の変化を検出可能とする検出回路部７４を表面にプリント印刷してなるタッチ検出基板７３が設けられている。また、下レール飾り１３の左下部においては、背面に上記タッチ検出基板７３が設けられる部位近傍に貫通孔１３ｂが設けられており、この貫通孔１３ｂから導電性のコンタクト部材７５が前方に突出して設けられている。このコンタクト部材７５は、タッチ検出基板７３上の検出回路部７４の入力側に電気的に接続状態とされて構成されている。また、タッチ検出基板７３は、図示しないコネクタを有して遊技制御装置６０からの電源線と繋がるとともに、主制御基板６１の入力ポートと接続ケーブルを介して接続されている。
【００３２】
また、遊技盤１０は遊技領域ＰＡの左下部に表示シール８１を貼着して構成されている。図８(ａ)に例示するように、この表示シール８１の表面には手で触れることを促すような図柄等が描かれる。
【００３３】
このような遊技盤１０を収容枠２ａに前方側から収容してクランプレバー２ｂで係止することにより前枠２に対して立設姿勢で収容保持されるように取り付け、遊技に供するためガラス扉３を閉鎖すると、ガラス板３１の背面側における正面視左下部に位置する電極引出部７２の先端部と、同じく遊技盤１０の前面側における正面視左下部に突出して設けられるコンタクト部材７５とが接触し、タッチ操作部７１が入力電極として検出回路部７４に電気接続状態となる。そして、タッチ操作部７１に遊技者の接触がなければ、即ち常には、接続ケーブルを介してタッチ操作部７１が非接触状態であることを示す検出信号が主制御装置６１に出力され、タッチ操作部７１に遊技者の接触があれば、検出回路部７４によりタッチ操作部７１における静電容量の増加が検出されて出力部からタッチ操作部７１が接触状態であることを示す検出信号が主制御装置６１に出力される。
【００３４】
さらに、ガラス扉３は、タッチ操作部７１と背面側にガラス板３１と対向して表示シール８１が位置する状態となって閉止姿勢とされる。このとき、タッチ操作部７１はハーフミラー状に設けられて前面側から背面方向を透視可能となっていることから、遊技者はこのタッチ操作部７１を介して遊技盤１０に設けられた表示シール８１を視認可能になっている。
【００３５】
遊技盤１０を取り付けたパチンコ機ＰＭ１が遊技に供され、サブゲームが開始されると、遊技者によりタッチ操作部７１を触れる操作が行われる。すると、タッチ操作部７１における静電容量が増加してこれが検出回路部７４により検出される。検出されれば接続ケーブルを介して主制御装置６１にタッチ操作部７１が接触状態を示す検出信号が入力されてサブゲーム実行処理プログラム６１ａの処理によりサブゲームの実行処理が続行される。
【００３６】
以上の説明ではサブゲーム実行処理プログラム６１ａが遊技制御装置６０内に備えられているものとしてパチンコ機の構成を説明してきたが、このようなプログラムを備えていないパチンコ機、即ちサブ入力操作部４４を不要とする機種もある。以下、図９に正面図、図１０に側断面図を示すように、本発明に係る第２の遊技盤２０を取り付けて構成したこのような機種のパチンコ機ＰＭ２の構成について説明する。
【００３７】
このパチンコ機ＰＭ２は、本発明に係る第２の遊技盤２０を取り付けて構成されているが、ガラス板３１にタッチ操作部７１および電極引出部７２を設けて構成されるガラス扉３も含めて、第２の遊技盤２０および遊技制御装置１６０を除くパチンコ機を構成する装置、機構等は、上記遊技盤１０（以下、第１の遊技盤１０とも称する）を取り付けて構成されるパチンコ機ＰＭ１と同一のものとされている。そこで、上記第１の遊技盤１０を取り付けて構成されるパチンコ機ＰＭ１と同一のものについては同一の符号を付して重複説明を省略する。
【００３８】
第２の遊技盤２０は、第１の遊技盤１０とはセルに印刷される図柄が異なる一方、基板とされるベニヤ、あるいは上下レール飾り２２，２３等は同一材料で同一形状に形成されている。また、入賞口２７ａ，２７ｂ、センタ飾り２８、アウト口２９、図柄表示装置２６等の遊技盤構成部品についても、それぞれの機能および作用は同様のものとなっている。
【００３９】
一方、図１０の側断面図に示すように、第２の遊技盤には、第１の遊技盤１０の背面側空間１３ａに設けられたタッチ検出基板７３が設けられておらず、このタッチ検出基板７３に電気接続されて設けられるコンタクト部材７５も設けられずに構成されている。また、下レール飾り１３に貼着された表示シール８１も設けられずに構成されている。
【００４０】
このような第２の遊技盤２０においても、第１の遊技盤１０と同様にして、収容枠２ａの前面から収容され、クランプレバーにより係止されて前枠２に立設姿勢で収容保持され、遊技に供するためガラス扉３が閉鎖される。ここで、第２の遊技盤２０を取り付けたパチンコ機ＰＭ２の遊技制御装置６０には上記の通りサブゲーム実行処理プログラム６１ａが具備されておらず、また、タッチ操作部７１と遊技制御装置１６０が電気的に接続状態とされていない。このため、遊技者が誤ってタッチ操作部７１と接触しても、これによってパチンコ機ＰＭ２の構成装置の作動が引き起こされることはない。また、タッチ操作部７１は樹脂基枠３２に設けられた貫通孔から前面に露出した状態とされるが、ハーフミラー状に設けられているため背面方向を透視可能であり、このタッチ操作部７１を介して背面方向に臨む第２の遊技盤２０には、第１の遊技盤１０に設けられていた表示シール８１のようなものは設けられていない。このため、遊技者にガラス扉３の前面に操作部があると示唆させることがない。すなわち、タッチ操作部７１は第２の遊技盤を取り付けることによって操作不能状態となる。
【００４１】
このように、本発明に係る操作スイッチによれば、サブゲーム実行処理プログラム６１ａを遊技制御装置６０に具備するパチンコ機ＰＭ１においては、遊技領域ＰＡの左下部に表示シール８１を設けられるとともに、タッチ操作部７１のタッチ検出を行うための検出回路部７４を備えたタッチ検出基板７３を設けて構成される第１の遊技盤１０を取り付けることでタッチ操作によるサブゲームの入力操作が可能となり、サブゲーム実行処理プログラム６１ａを遊技制御装置１６０に具備しないパチンコ機ＰＭ２においては、表示シール８１および上記タッチ検出基板７３を設けずに構成した第２の遊技盤２０を取り付けることでタッチ操作部７１を操作不能状態とすることができ、パチンコ機ＰＭを構成する遊技盤１０，２０を除く装置、機構および構成部材を共用することができる。また、操作不能状態とするために新たな部材を必要とすることなくサブゲーム実行処理プログラム６１ａを具備していないパチンコ機ＰＭ２を製作することができる。
【００４２】
また、タッチスイッチ７０をガラス扉３に設けて遊技領域ＰＡ内に配設して構成することを回避しているため、遊技釘等の遊技盤構成部品のゲージ設定を殊更困難なものとすることなくパチンコ機ＰＭを構成できる。また、操作部を球皿４から突出させて構成することを回避しているため、遊技者が不意に接触して生じる誤作動の可能性を低減させることができる。そして、操作スイッチを球皿構造体から省略して構成されるため、球皿構造体およびその周辺の設計レイアウトの自由度を高めることができる。上記実施例ではサブ入力操作部４４についてのみに本発明に係る操作スイッチを適用したが、複数のタッチ操作部を設けて構成してもよく、これにより球皿構造体の設計レイアウトの自由度をさらに向上させることができる。
【００４３】
また、ハーフミラー状に設けられるタッチ操作部の背面と対向する位置に表示シール８１を配設している構成としているが、タッチ操作部は上記のように、ガラス扉３の前面側に設けられているため、表示シール８１を遊技領域、さらにいえば遊技領域の中でも遊技球が転動する転動領域内に貼着するように構成してもよく、このように構成してもゲージ設定の複雑化を招くようなことがない。また、化粧板１１の前面に貼り付けられるセルに予め前面側にタッチ操作部７１が存することを示唆するような図柄を印刷し、この図柄を上記表示シール８１と同様に表示部材としての機能を果たすように構成してもよく、この構成によっても同様にゲージ設定の複雑化を招くようなことがない。
【００４４】
さらに、タッチ操作部をハーフミラー状に形成して背面方向を透視可能とする構成形態をもって本実施形態を説明したが、不透明にタッチ操作部を形成して構成してもよい。但し、この場合タッチ操作部の配設位置として遊技領域、転動領域の前面側に位置するように構成すると、遊技者による遊技球落下状況の視認の妨げとなるといった観点から好ましいといえず、ガラス扉３を閉止姿勢としたときに遊技盤における遊技領域外の前面側に位置するようにタッチ操作部をガラス扉３の前面に形成することが好ましい。さらにこの場合、上述の構成形態のように、表示部材として例示した表示シールを背面側に整合対向する位置には設けられず、当該位置と近接する位置において、図８(ｂ)に例示するように、前面側においてタッチ操作部７１が近接して存することを示唆させる表示態様の表示シール８１´が配置される。これにより、遊技者にタッチ操作部７１の位置を確実に把握させることができる。なお、不透明にタッチ操作部を形成したときにおいても、表示シール８１´等の表示部材の配置位置は、遊技領域、転動領域内であってもよく、この構成によっても上記構成形態と同様にゲージ設定の複雑化を招くことなく操作スイッチを構成することができる。なお、ハーフミラー状にタッチ操作部が形成される場合であっても、必ずしも整合対向する位置に表示部材が設けられる必要はなく、表示シール８１´のような態様の表示部材を設けて構成してもよい。
【００４５】
続いて、図１１，１２に上記実施形態とは別態様のガラス扉を有して構成されるパチンコ機における本発明に係る操作スイッチを示すパチンコ機の平断面図、正面図を示しており、以下これらの図面を参照して第２実施形態による操作スイッチについて説明する。なお、本実施形態は、ガラス扉および遊技盤の構成において上記第１実施形態と相違する一方、パチンコ機の全体に係る構成は第１実施形態と同様であり、第１実施形態と同一の態様部分には同一の符号を付して重複説明を省略するものとする。また、この実施形態においても本発明に係る操作スイッチの適用例としてサブ入力操作部４４を例示する。
【００４６】
本実施形態のガラス扉２３０は、図１１，図１２に示すように、左側縁部に設けられたヒンジ機構２０７を介して前枠２に対して横開き開閉および着脱自在に取り付けられ、図示しない正面右側に設けられた施錠装置を利用して前枠２の前面を覆う閉鎖状態に保持されるようになっている。
【００４７】
このガラス扉２３０は、ステンレス鋼等に代表される硬質の導電材で形成されて上辺開放枠状のガラス収容枠２３２に２枚のガラス板２３１ａ，２３１ｂを開放状態とされる上方から収容して構成されている。ガラス収容枠２３２には、枠内周側に２つのスリットが周設されており、前方側に位置するスリットに前ガラス板２３１ａが、後方側に位置するスリットに後ガラス板２３１ｂがそれぞれ収容されるようになっている。ガラス扉２３０を前枠２に組み付けるためのヒンジ機構２０７は、このガラス収容枠２３２における左枠部２３２ａに設けられている。
【００４８】
このようなガラス扉２３０を有したパチンコ機において本実施形態のサブ入力操作部４４について説明する。本実施形態における構成は図１１，１２に示すものであるが、タッチスイッチ２７０としての概要構成および作用は第１実施形態での説明で参照した図６の構成ブロック図に示すものと同様であり、この図６を併せて準用して説明する。本実施形態のサブ入力操作部４４は、ガラス扉２３０の前面側に設けられた導電性のタッチ操作部２７１と、第１の遊技盤２１０側に設けられて入力電極の静電容量の変化を検出するためのタッチ検出基板２７３とからなるタッチスイッチ２７０で構成される。タッチ操作部２７１は、前ガラス板２３１ａの表面側における正面視左下部において、第１実施形態と同様の成形手段を用いて円形状且つハーフミラー状に設けられており、前面側からタッチ操作部２７１を介して背面方向を透視可能としている。
【００４９】
タッチ操作部２７１からは、紐状に延びる電極引出部２７２がタッチ操作部２７１と一体に形成されている。この電極引出部２７２は、ガラス板２３１ａの表面においてタッチ操作部２７１から下方に向けて延びて設けられており、２つのスリットによって２枚のガラス板２３１，２３１ｂのそれぞれ下辺縁を覆うように構成された状態のガラス収容枠２３２における下枠部２３２ｂと接触（電気的に接続）した状態とされている。
【００５０】
第１の遊技盤２１０においては、図１１に示すように、また第１実施形態と同様に、第１の遊技盤２１０の左方において化粧板２１１の前面と下レール飾り２１３の背面との間に形成される背面側空間２１３ａ内に、接続される入力電極の静電容量の変化を検出可能とする検出回路部２７４を備えたタッチ検出基板２７３が収容固定されている。また、下レール飾り２１３の左下部においては、タッチ検出基板の前方に位置して貫通孔２１３ｂが設けられており、この貫通孔２１３ｂから導電性を有し且つ先端が鉤状に屈曲形成されて弾性を有したコンタクト部材２７５が前方に突出して設けられている。このコンタクト部材２７５は、検出回路部２７４の入力側に電気的に接続状態とされている。また、タッチ検出基板２７３はコネクタ２７６を有して構成されるとともに、化粧板２１１には所定大の貫通孔２１１ａが設けられており、このコネクタ２７６および貫通孔２１１ａを介して、タッチ検出基板２７３は、第１の遊技盤２１０の後方側に位置する裏セット盤５０に設けられる遊技制御基板６０からの電源線２７７と繋がれるとともに、主制御基板６１の入力ポートと接続ケーブル２７８により接続されている。
【００５１】
また、本実施形態における第１の遊技盤２１０においても、遊技領域ＰＡ外における左下部に、図８(ａ)に例示する表示シール８１が貼着されている。
【００５２】
このような第１の遊技盤２１０を収容枠２ａに前方側から収容してクランプレバー２ｂで係止することにより前枠２に対して立設姿勢で収容保持されるように取り付け、遊技に供するためガラス扉２３０を閉鎖すると、遊技盤２１０から前方突設するコンタクト部材２７５が、ガラス板２３１の左辺縁部を覆うように設けられた状態の左枠部２３２ａに当接した状態となる。よって、タッチ操作部２７１と検出回路部２７４とは、電極引出部２７２、ガラス収容枠２３２およびコンタクト部材２７５を介して電気的に接続状態となり、タッチ操作部２７１は検出回路部２７４の入力電極となるように構成される。そして、タッチ操作部２７１に遊技者の接触がなければ、即ち常には接続ケーブル２７８を介してタッチ操作部２７１が非接触状態であることを示す検出信号が主制御装置６１に出力され、タッチ操作部２７１に遊技者の接触があれば、検出回路部２７４によりタッチ操作部２７１における静電容量の増加が検出されて出力部からタッチ操作部２７１が接触状態であることを示す検出信号が主制御装置６１に出力される。
【００５３】
さらに、ガラス扉２３０は、背面方向を視認可能とするハーフミラー状のタッチ操作部２７１がその背面側に表示シール８１が整合対向して閉止姿勢とされるようになっている。このため、遊技者はタッチ操作部２７１を介して遊技盤２１０に設けられた表示シール８１を前方側から視認可能となっている。
【００５４】
このようにして第１の遊技盤２１０が取り付けられたパチンコ機ＰＭ１が遊技に供され、サブゲームが開始されると、表示シール８１を参照することにより操作部の位置把握を可能とした遊技者によるタッチ操作部２７１のタッチ操作がなされる。このタッチ操作が検出回路部２７４によって検出されると、接続ケーブル２７８を介して検出信号が主制御基板６１に送信されてサブゲーム実行処理プログラム６１ａの処理によりサブゲームの実行処理が続行される。
【００５５】
また、本実施形態においても、上記サブゲーム実行処理プログラム６１ａを備えないパチンコ機には第２の遊技盤（図示せず）が取り付けられる。本実施形態の第２の遊技盤についても、化粧板、上下レール飾り、入賞口、センタ飾り、アウト口等といった基本的な遊技盤構成部品は第１の遊技盤２１０と同様のものとされて同様に組付構成される一方、第１の遊技盤２１０に取り付けられていたタッチ検出基板２７３、タッチ検出基板２７３上の検出回路部２７４、タッチ検出基板２７３に突設されるコンタクト部材２７５は設けられることなく構成される。また、表示シール８１についても設けられることなく構成される。
【００５６】
このような第２の遊技盤を収容枠２ａに収容してクランプレバー２ｂで係止保持してパチンコ機を構成し、ガラス扉２３０を閉止姿勢としても、第１実施形態と同様に、タッチ操作部２７１と遊技制御装置６０とが非接続状態となっていることから、遊技者が誤ってタッチ操作部２７１に接触してもこれに伴ってパチンコ機ＰＭに何らかの作動が生じることはない。また、タッチ操作部２７１はハーフミラー状に形成されており、遊技者によりその背面方向が透視されることとなる。即ち、第１実施形態と同様にタッチ操作部２７１は第２の遊技盤を取り付けることによって操作不能状態となる。
【００５７】
このように、本実施形態においても、上記第１実施形態と同様に、サブゲーム実行処理プログラム６１ａを具備するパチンコ機においては表示シール８１、タッチ検出基板２７３を設けて構成される第１の遊技盤２１０を取り付けることでタッチ操作によるサブゲームの入力操作が可能となり、当該プログラムを具備しないパチンコ機においては表示シール８１、タッチ検出基板２７３を設けずに構成した第２の遊技盤を取り付けることでタッチ操作部２７１を操作不能状態とすることができ、パチンコ機を構成する遊技盤を除く装置、機構及び構成部材を共用することができ、操作不能状態とするために新たな部材を必要とすることなくサブゲーム実行処理プログラム６１ａを具備していないパチンコ機を製作することができる。これにより、不意の接触による誤作動の低減、球皿構造体周辺の設計レイアウトの自由度の向上をそれぞれ図ることが可能となるという第１実施形態と同様の効果を得ることができる。
【００５８】
また、本構成形態においては、枠状のスリット内にガラス板を収容する構成により、金属材で成形されるガラス収容枠が前後面に露出するようにしてガラス扉２３０が構成されることとなる。このため、前ガラス板２３１ａの前面側に設けられるタッチ操作部２７１と、後ガラス板２３１ｂの背面方向に設けられるコンタクト部材２７５とを接続させるための電極引出部２７２を設けるにあたって、例えば第１実施形態のように、ガラス板２３１の後面側に電極引出部２７２を延ばすため、電極引出部をガラス板辺縁で折り返すように設けたり、貫通孔をガラス板２３１に設ける必要がなくなり、ガラス板２３１に係る製作工程を複雑化することなく本発明に係る操作スイッチを構成することができる。また、ガラス収容枠２３２をガラス板２３１の側辺縁部のみならず、下辺縁部においても当接するように構成されているため、電極引出部２７２の引出し長さを側辺縁部に引き出す構成よりも短小にすることができ、さらに加工容易性を増して上記効果を有するタッチ式の操作スイッチを構成することができる。
【００５９】
なお、上記構成形態において、ガラス扉２３０のガラス収容枠２３２はガラス扉２３０の側縁部を覆うようにして遊技者が対峙する前面側に露出しているが、遊技者の手に触れられない構成であることが好ましく、このような構成とするため、ガラス収容枠２３２の前面露出部分について、第１実施形態における樹脂基枠３２のように、図１１に二点鎖線で示すように、図１２における破断部に示すように、絶縁部材２３３をガラス収容枠２３２の前面側を覆うようにして設けてガラス扉２３０を構成してもよい。これにより、本発明に係る操作スイッチの作動信頼性の向上を図ることができる。
【００６０】
また、上記構成形態においてタッチ検出基板２７３から突出して設けられるコンタクト部材２７５は、図１２を参照して先端が鉤状に屈曲形成される部材としたが、態様はこのようなものに限られず、ガラス扉側との電気的接続状態が保証されるものであればどのような態様であってもよい。例えば、図１３(ａ)に例示するコンタクト部材２７５ａのようにシールドフィンガー式接点を利用した構成、図１３(ｂ)に例示するコンタクト部材２７５ｂのようにプランジャ式接点を利用した構成としてもよく、いずれにおいても本発明に係る操作スイッチを上記構成形態と同様に実施可能であり、同様の効果を得ることができる。なお、図１３(ａ)に示すように、コンタクト部材２７５のストロークに合わせてタッチ検出基板２７３の配設位置を適宜変更して構成してもよい。
【００６１】
また、本実施形態においても第１実施形態と同様にして、タッチ操作部２７１の配設位置は、ガラス扉２３０を閉止姿勢としたときにおける遊技領域外の前面側に限られず、遊技領域内の前面側に設けられる構成としてもよい。また、タッチ操作部２７１を不透明な状態に形成して構成してもよく、この場合図８(ｂ)に例示する態様の表示シール８１´がタッチ操作部２７１の背面整合対向位置と近接する位置に配設されることが好ましい。また、ハーフミラー状にタッチ操作部２７１を形成した上記構成形態においても、このような近接位置に図８(ｂ)に例示する態様の表示部材を適用してもよい。これら各構成形態によっても、遊技者に確実にタッチ操作部の位置を把握させることができるとともにゲージ設定の複雑化を招くことがないという同様の効果を得ることができる。
【００６２】
以上、本発明の第１および第２の実施形態を変更構成形態も含めて説明してきたが、さらに構成を変更しても本発明に係る操作スイッチを実施することができる。例えば、タッチ検出基板７３が下レール飾り１３，２１３の背面側空間１３ａ，２１３ａ内に設けられる構成としたが、必ずしもこのような構成に限らず、ガラス扉３，２３０を閉鎖姿勢としたときにタッチ操作部、電極引出部、コンタクト部材を介してタッチ操作部と電気的に接続状態となり、且つ主制御基板６１等の遊技制御装置６０と接続状態とされる構成であって遊技盤１０，２１０側に設けられていればどのような構成でもよく、例えば化粧板１１の背面側に設ける構成であってもよい。
【００６３】
また、本発明に係る表示手段として表示シール８１，８１´を遊技盤１０，２１０に貼着する構成、あるいは予め化粧板１１の前面に貼着されるセルに印刷して表示部材の機能を果たす構成の例をあげて説明したが、必ずしもこの形態に限られない。例えば、第１の遊技盤１０，２１０の下レール飾りに凹溝を設け、この凹溝内に前面に発光部を有して構成される発光ユニットを密嵌収容し、この発光ユニットを表示手段として適用することによっても同様に実施可能となる。特にこのように構成すれば操作必要時にのみ発光体を発光させる制御を行うことにより、遊技者に操作部の存在あるいは操作タイミングをより効果的に知覚させることができる。また、遊技盤面が略全体的に液晶ディスプレイにより構成される場合にあっては、操作必要時にタッチ操作部の背面対向位置に操作を促すような図柄を表示させる制御を行うことにより遊技者に操作部の存在および操作タイミングを知覚させるようにしてもよい。
【００６４】
また、本実施例においては、サブ入力操作ボタン４４を本発明に係る操作スイッチに適用して説明したが、他の操作部に適用しても実施可能であって、例えば、球貸操作部４２および返却操作部４３に適用することによってＣＲ機と現金機との間で遊技盤以外の機構および部材を共用することができ、また、図柄変動短縮操作部４５に適用することによって図柄短縮機能を有する機種と該機能を有しない機種との間で遊技盤以外の機構および部材を共用することができる。
【００６５】
なお、上記各構成例においては、遊技者の接触によるタッチ操作部の静電容量の変化を検出する方式でタッチスイッチを構成したが、必ずしもこの方式による構成に限られず、例えば、従来知られた赤外線遮断方式、抵抗膜方式等で構成しても同様に実施できる。
【００６６】
さらに、本実施例では、遊技機の一例としてパチンコ機をあげて説明を行ったが、必ずしもこれに限られるものではなく、雀球遊技機等についても、遊技盤、透明板を備えた扉部材、各種の遊技操作手段を備える遊技機であれば同様に適用できる。
【００６７】
以上本発明に係る操作スイッチの実施例について説明してきたが、その主要な効果をあげれば下記のようになる。
【００６８】
第一に、本発明に係る操作スイッチによれば、操作スイッチの機能を要するプログラムを遊技制御装置に具備するパチンコ機においては、遊技領域の左下部等に表示手段を設けて構成される遊技盤１０，２１０を取り付けることでタッチ操作による入力操作が可能となり、上記プログラムを具備しないパチンコ機においては、表示手段を設けずに構成した第２の遊技盤２０を取り付けることでタッチ操作部７１を操作不能状態とすることができる。このため、パチンコ機を構成する遊技盤１０（，２１０），２０を除く装置、機構および構成部材を共用することができ、操作不能状態とするために新たな部材を必要とすることなく上記プログラムを具備しないパチンコ機を製作することができる。
【００６９】
第二に、タッチスイッチ７０，２７０をガラス扉３，２３０の前面に設ける構成であるため、遊技釘等の遊技盤構成部品のゲージ設定を殊更困難なものとすることなくパチンコ機ＰＭを構成でき、遊技者が不意に接触して生じる誤作動の可能性を低減させることができ、球皿構造体およびその周辺の設計レイアウトの自由度を高めることができる。また、複数の操作スイッチをガラス扉３，２３０の前面に設けることにより、球皿構造体の設計レイアウトの自由度をさらに向上させることができる。なお、第２実施形態においては、電極引出部２７２の引出し長さ、ガラス板に係る加工工程を容易にして本発明に係る操作スイッチを構成することが可能となる。
【図面の簡単な説明】
【００７０】
【図１】本発明に係る遊技機の一例として示すパチンコ機の正面図である。
【図２】上記パチンコ機のガラス扉を９０度開放して示す正面図である。
【図３】上記パチンコ機の背面図である。
【図４】上記パチンコ機の操作部およびパチンコ機構成機器について概要構成を示すブロック図である。
【図５】第１実施形態におけるガラス扉の背面図である。
【図６】タッチスイッチの構成ブロック図である。
【図７】図１の矢印VII−VII方向に沿って示す上記パチンコ機の側断面図である。
【図８】(ａ)，(ｂ)ともにそれぞれ、表示シールの表面における態様を例示する図である。
【図９】第１実施形態において第２の遊技盤を取り付けて構成されたパチンコ機の正面図である。
【図１０】図９の矢印X−X方向に沿って示す第２の遊技盤を取り付けて構成されるパチンコ機の側断面図である。
【図１１】第２実施形態において第１の遊技盤を取り付けて構成されたパチンコ機の平断面図である。
【図１２】第２実施形態におけるガラス扉の要部を示す正面図である。
【図１３】(ａ)，(ｂ)ともにそれぞれ、第２実施形態におけるコンタクト部材の変更構成形態を例示する図である。
【符号の説明】
【００７１】
ＰＭ  パチンコ機
ＰＡ  遊技領域
２  前枠
３，２３０  ガラス扉（扉部材）
１０，２１０  （第１の）遊技盤
２０，２２０  第２の遊技盤
３１，２３１ａ（，２３１ｂ）  ガラス板（透明板）
４２〜４５  操作部
６０  遊技制御装置
６１ａ  サブゲーム実行処理プログラム（タッチ遊技手段）
７０，２７０  タッチスイッチ
７１，２７１  タッチ操作部
７２，２７２  電極引出部
７３，２７３  タッチ検出基板（タッチ検出手段）
７４，２７４  検出回路部
７５，２７５  コンタクト部材
８１，８１´  表示シール（表示手段）
【図１】
2006110134.tif 000003
【図２】
2006110134.tif 000004
【図３】
2006110134.tif 000005
【図４】
2006110134.tif 000006
【図５】
2006110134.tif 000007
【図６】
2006110134.tif 000008
【図７】
2006110134.tif 000009
【図８】
2006110134.tif 000010
【図９】
2006110134.tif 000011
【図１０】
2006110134.tif 000012
【図１１】
2006110134.tif 000013
【図１２】
2006110134.tif 000014
【図１３】
2006110134.tif 000015